(57)【要約】【課題】光学特性値の分布と被検レンズとの位置関係を容易に把握することができ、マッピング画像を、レンズを移動させるだけで取得することができるレンズメータを提供する。【解決手段】被検レンズＬに測定光を投光し被検レンズＬを透過した測定光を受光する測定光学系Ｋと、受光された測定光に基づいて被検レンズＬの光学特性値を算出するとともに測定光学系Ｋを制御する制御部４０と、制御部４０の制御により光学特性値が表示される表示部３と、被検レンズＬのレンズ画像を取得する撮像部３０とを備えてレンズメータ１を構成する。制御部４０は、光学特性値と、測定位置の位置情報に基づいてマッピング画像を生成し、マッピング画像とレンズ画像とを重畳した第２重畳画像Ｉ２を生成して表示部３に表示させる。【選択図】図４
2018163105.tif 000002
【特許請求の範囲】
【請求項１】
被検レンズに測定光を投光し前記被検レンズを透過した測定光を受光する測定光学系と、
受光された測定光に基づいて前記被検レンズの光学特性値を算出するとともに前記測定光学系を制御する制御部と、
前記制御部の制御により前記光学特性値が表示される表示部と、
前記被検レンズのレンズ画像を取得する撮像部と、を備え、
前記制御部は、前記光学特性値と、該光学特性値の測定位置の位置情報に基づいて、前記被検レンズの光学特性値の分布を表すマッピング画像を生成し、該マッピング画像と、前記レンズ画像とを重畳した重畳画像を生成して前記表示部に表示させることを特徴とするレンズメータ。
【請求項２】
前記制御部は、前記レンズ画像から前記被検レンズの像を抽出し、前記被検レンズの像と前記測定光学系の測定光軸との位置関係に基づいて、前記被検レンズにおける前記測定位置の前記位置情報を取得することを特徴とする請求項１に記載のレンズメータ。
【請求項３】
前記制御部は、前記被検レンズの光学特性値に基づいて前記被検レンズの光学的な特徴点を算出し、前記重畳画像に前記特徴点を示すオブジェクト画像を重畳することを特徴とする請求項１または２に記載のレンズメータ。
【請求項４】
前記制御部は、前記レンズ画像に基づいて前記被検レンズに設けられた指標を抽出し、前記重畳画像に前記指標を示すオブジェクト画像を重畳することを特徴とする請求項１〜３のいずれか一項に記載のレンズメータ。
【請求項５】
前記表示部上の前記被検レンズの像に、当該被検レンズを重ねて配置できるように、前記制御部は、前記被検レンズの像が前記被検レンズと等倍となるよう前記重畳画像を前記表示部に表示させることを特徴とする請求項１〜４のいずれか一項に記載のレンズメータ。
【請求項６】
前記制御部は、前記光学特性を測定するときに、前記撮像部で取得した前記レンズ画像と、測定光軸の位置を示すオブジェクト画像及び前記被検レンズのレンズ光軸の位置を示すオブジェクト画像の少なくともいずれか一方とを重畳した重畳画像を、前記表示部に表示させることを特徴とする請求項１〜５のいずれか一項に記載のレンズメータ。
【発明の詳細な説明】
【技術分野】
【０００１】
本開示は、レンズメータに関する。
【背景技術】
【０００２】
従来、被検レンズの球面度数、円柱度数（乱視度数）、円柱軸角度（乱視軸角度）、プリズム値（プリズム度数及びプリズム基底方向）等の光学特性値を測定し、表示部に表示するレンズメータが知られている（例えば、特許文献１参照）。
【０００３】
また、特許文献２には、累進焦点レンズの遠用部から近用部の間の複数の測定位置で光学特性を測定し、その光学特性値の分布をグラフ状に表示部に表示するレンズメータが開示されている。
【先行技術文献】
【特許文献】
【０００４】
【特許文献１】特開平１１−１３２９０５号公報
【特許文献２】特開平５−２１５６４２号公報
【発明の概要】
【発明が解決しようとする課題】
【０００５】
しかしながら、従来のレンズメータでは、光学特性値の分布と被検レンズとの位置関係がわかりにくく、特に累進焦点レンズは測定位置を探しながら測定するという手間がかかっていた。
【０００６】
本開示は、上記問題に着目してなされたもので、光学特性値の分布と被検レンズとの位置関係を容易に把握することができ、しかも光学特性値の分布を示すマッピング画像を、レンズを移動させるだけで取得することができるレンズメータを提供することを目的とする。
【課題を解決するための手段】
【０００７】
上記目的を達成するため、本開示のレンズメータは、被検レンズに測定光を投光し前記被検レンズを透過した測定光を受光する測定光学系と、受光された測定光に基づいて前記被検レンズの光学特性値を算出するとともに前記測定光学系を制御する制御部と、前記制御部の制御により前記光学特性値が表示される表示部と、前記被検レンズのレンズ画像を取得する撮像部と、を備え、前記制御部は、前記光学特性値と、該光学特性値の測定位置の位置情報に基づいて、前記被検レンズの光学特性値の分布を表すマッピング画像を生成し、該マッピング画像と、前記レンズ画像とを重畳した重畳画像を生成して前記表示部に表示させることを特徴とする。
【発明の効果】
【０００８】
本開示のレンズメータによれば、光学特性値の分布と被検レンズとの位置関係を容易に把握でき、しかも光学特性値の分布を示すマッピング画像を、レンズを移動させるだけで取得することができる。
【図面の簡単な説明】
【０００９】
【図１】実施例１のレンズメータの外観を示す斜視図である。
【図２】実施例１のレンズメータの測定光学系の構成を示す説明図である。
【図３】実施例１の測定光学系に設けたパターンプレートの一例を示す平面図である。
【図４】実施例１のレンズメータの制御系の構成を示すブロック図である。
【図５】実施例１のレンズメータにて、光学特性の測定中に表示画面に表示される第１重畳画像の一例を示す説明図である。
【図６】実施例１のレンズメータにて、光学特性の測定中に表示画面に表示される第１重畳画像の一例を示す説明図であり、レンズバーが表示されるとともに図５に示す状態から測定光軸記号とレンズ光軸記号とが近接した状態を示す。
【図７】実施例１のレンズメータにて、光学特性の測定後に表示画面に表示される第２重畳画像の一例を示す説明図である。
【図８】レンズ画像と測定光軸との位置関係を説明するための説明図である。
【図９】インクによって指標が印刷・印点された未加工レンズの一例を示す平面図である。
【図１０】実施例１のレンズメータにて実行される画像制御処理の流れを示すフローチャートである。
【発明を実施するための形態】
【００１０】
以下、本開示に係るレンズメータを実施するための形態を、図面に示す実施例１に基づいて説明する。
【００１１】
（実施例１）
［レンズメータの全体構成］
以下、図１に基づいて、実施例１のレンズメータ１の全体構成を説明する。図１に示す実施例１のレンズメータ１は、被検レンズＬの光学特性を測定し、光学特性値を表示するとともに、光学測定値の分布をマッピング画像で表示するものである。このレンズメータ１は、装置本体２を有する。
【００１２】
装置本体２は、前面上部に液晶ディスプレイや有機ＥＬディスプレイ等からなる表示部３が設けられている。この表示部３は、タッチパネル式の表示画面３ａを有している。この表示画面３ａには、被検レンズＬの光学特性値（球面度数、円柱度数、円柱軸角度、プリズム度数、プリズム基底方向等）の数値データ、被検レンズＬの光学特性値の分布を示すマッピング画像、被検レンズＬの被検レンズ画像（以下では、単にレンズ画像という）、マッピング画像にレンズ画像を重畳した重畳画像等の各種画像データが表示される。また、表示画面３ａには、測定の開始や停止等の操作を行うための操作ボタン、測定モードを切り換えるためのモード切替ボタン、測定結果等を印字するための操作ボタン等がアイコンで示された操作部６が表示される。なお、この操作部６は、装置本体２に適宜設けたボタンやスイッチ等であってもよい。また、表示画面３ａには、測定者の測定動作をガイドするコメント等からなるコメントバー７が表示される。
【００１３】
装置本体２の上部２ａには投光光学系１０（図２参照）が収容され、装置本体２の下部２ｂであって、投光光学系１０の下方に対向する位置に受光光学系２０（図２参照）が収容されている。なお、この投光光学系１０及び受光光学系２０により、被検レンズＬの光学特性を測定する測定光学系Ｋが構成されている。
【００１４】
さらに、この装置本体２の上部２ａには、被検レンズＬの外観を撮像する撮像部３０（図２参照）が収容されている。また、装置本体２の内部には、レンズメータ１の各部を統括的に制御する制御系（図４参照）が設けられている。
【００１５】
そして、装置本体２の中間部には、被検レンズＬをセットするレンズセット空間２ｃが形成されている。このレンズセット空間２ｃの内側にレンズ保持機構４と、印点装置５とが設けられている。
【００１６】
レンズ保持機構４は、被検レンズＬを置く円環状の載置面４ａを有するレンズ受け４ｂと、レンズ受け４ｂに置かれた被検レンズＬを上方から押えるレンズ押え４ｃと、レンズ受け４ｂの後方に位置し、レンズセット空間２ｃ内での被検レンズＬの位置決めを補助するレンズテーブル４ｄと、有している。実施例１では、レンズ受け４ｂ及びレンズ押え４ｃは、一つずつ設けられている。レンズ受け４ｂに被検レンズＬを載せ、被検レンズＬをレンズテーブル４ｄに押し当てた状態で、レンズテーブルレバー４ｅを操作してレンズテーブル４ｄの前後方向の位置を調整することで、被検レンズＬの前後方向でのセット位置（測定光学系Ｋの測定光軸Ｌｍに対する被検レンズＬの測定位置）を合せることができる。
【００１７】
本実施例のレンズメータ１では、被検レンズＬとして、円形の未加工レンズや眼鏡用に研削加工された枠入れ前のレンズ、或いは眼鏡フレームに枠入れされたレンズ等を測定することができる。実施例１では、レンズテーブル４ｄの上縁部に、眼鏡の鼻当てを載せるためのスライダ４ｆが水平方向に移動可能に支持されている。被検レンズＬが眼鏡フレームに枠入れされたレンズである場合、眼鏡の鼻当てをスライダ４ｆに掛けつつ眼鏡をスライダ４ｆとともに左右に移動させることで、所望のレンズをレンズ受け４ｂ上に配置させることができるとともに、被検レンズＬの左右方向のセット位置を合せることができる。
【００１８】
また、被検レンズＬが眼鏡の鼻当てのない未加工レンズや枠入れ前のレンズの場合でも同様に、スライダ４ｆの端面に被検レンズＬの外周縁を押し当てつつ被検レンズＬをスライダ４ｆとともに左右に移動させることで、被検レンズＬの左右方向のセット位置を合せることができる。なお、レンズメータ１に必ずしもスライダ４ｆを設ける必要はなく、実施例１の構成に限定されない。
【００１９】
また、レンズテーブル４ｄとスライダ４ｆには、それぞれポテンショメータ等の位置検知センサ４ｇ，４ｈが設けられている（図４参照）。位置検出センサ４ｇは、レンズテーブル４ｄの前後方向（Ｙ軸方向）の位置を検出する。位置検出センサ４ｈは、スライダ４ｆの左右方向（Ｘ軸方向）の位置を検出する。検出された各位置のデータは、制御系へと出力される。
【００２０】
印点装置５は、軸打ちレバー５ａを操作することで上下方向に回動し、レンズ受け４ｂとレンズ押え４ｃの間に挟持された被検レンズＬに印点を行う。
【００２１】
［測定光学系の詳細構成］
以下、図２及び図３に基づいて、実施例１のレンズメータ１の測定光学系Ｋの詳細構成を説明する。実施例１の測定光学系Ｋは、被検レンズＬの光学特性値を測定するために用いられ、上述のように、投光光学系１０と、受光光学系２０とを有している。
【００２２】
投光光学系１０は、被検レンズＬに対して測定光を投光する光学系であって、図２に示すように、測定光を出射する光源１１と、ハーフミラー１２と、レンズ１３とを有する。光源１１は、実施例１ではＬＥＤ素子（発光ダイオード）により構成されている。測定光学系Ｋの測定光軸Ｌｍは、ハーフミラー１２によって折り返され、レンズ受け４ｂの載置面４ａ（図１参照）の中心を通る。このような構成の投光光学系１０では、光源１１から出射された測定光は、ハーフミラー１２、第２レンズ１４を順に経ることで、所定口径の平行光に調光された後、レンズ受け４ｂ上に配置された被検レンズＬに投光される。
【００２３】
受光光学系２０は、被検レンズＬを通過した測定光を受光する光学系である。受光光学系２０は、測定光軸Ｌｍ上に配置され、図２に示すように、フィルタ２１と、パターンプレート２２と、測定用受光素子２３と、を有している。
【００２４】
パターンプレート２２は、被検レンズＬを通過した測定光を複数の分割測定光束に分離するパターン板である。このパターンプレート２２には、図３に示すように、複数の円形の開口２２ａを規則正しく並べたパターンが形成されている。
【００２５】
測定用受光素子２３は、パターンプレート２２によって分離された複数の分割測定光束を受光し、電気信号（画像信号）に変換して出力する。この測定用受光素子２３には、分割測定光束がパターン像として受光される。測定用受光素子２３としては、例えばＣＣＤ（Charge Coupled Devise）を用いることができる。
【００２６】
［撮像部の詳細構成］
以下、図２に基づいて、実施例１のレンズメータ１の撮像部３０の詳細構成を説明する。撮像部３０は、レンズ１３からハーフミラー１２を透過した直線上に配置され、ハーフミラー１２によって折り返された測定光軸Ｌｍに沿って、レンズ受け４ｂに置かれた被検レンズＬを撮像する。ここでは、レンズ受け４ｂ上の水平面と平行な面に沿って、測定光軸Ｌｍを中心としつつ一辺が１００ｍｍとなる正方形状の領域を撮像可能な位置に取り付けられている。この撮像部３０は、例えば単眼式のデジタルカメラであり、撮像光学系３１と、撮像素子３２と、を有している。
【００２７】
撮像光学系３１は、複数のレンズから構成され、投光光学系１０のレンズ１３と協働して、レンズ受け４ｂ上に置かれた被検レンズＬの被写体像を撮像素子３２上に形成する。撮像素子３２は、撮像光学系３１が形成する被写体像を電気信号（画像信号）に変換して出力する。撮像部３０で、測定光軸Ｌｍを中心とした正方形の領域を撮影していることから、測定光軸Ｌｍの撮像素子３２上の位置は、撮像素子３２の中心と合致する。
【００２８】
［制御系の詳細構成］
以下、図４に基づいて、実施例１のレンズメータ１の制御系の詳細構成を説明する。レンズメータ１は、図４に示すように、制御系として制御部４０と記憶部４１と、を有している。制御部４０は、ＣＰＵ（Central Processing Unit）や内部メモリ４０ａ等を備えて構成される。制御部４０には、表示部３、位置検知センサ４ｇ，４ｈ、操作部６、投光光学系１０の光源１１、受光光学系２０の測定用受光素子２２ｃ、撮像部３０の撮像素子３２、記憶部４１等が接続されている。
【００２９】
制御部４０は、表示部３への画像の表示、操作部６での操作の制御、位置検知センサ４ｇ，４ｈでの位置情報の取得の制御、光源１１の点灯及び消灯動作の制御、測定用受光素子２３での画像信号の取得動作の制御、撮像素子３２での撮像信号の取得動作の制御等を行うとともに、記憶部４１への各種情報の記憶処理並びに読出処理等の制御を行う。
【００３０】
実施例１では、内部メモリ４０ａは、ＲＡＭ（Random Access Memory）等から構成される。記憶部４１は、ＲＯＭ（Read Only Memory）、ＥＥＰＲＯＭ（Electrically Erasable Programmable ROM）等から構成される。内部メモリ４０ａ及び記憶部４１には、必要な制御プログラムが格納されているとともに、各種情報が記憶される。
【００３１】
制御部４０は、記憶部４１のＲＯＭ等に格納された制御プログラムを、例えば内部メモリ４０ａのＲＡＭ上に展開することにより、レンズメータ１の各部の動作制御や各種演算処理などを実行する。また制御部４０は、この制御プログラムにしたがって、レンズ画像取得部４２、レンズ画像データ取得部４３、光学特性算出部４４、座標データ取得部４５、マッピング形成部４６、画像生成部４７、表示制御部４８としても機能する。
【００３２】
レンズ画像取得部４２は、撮像部３０の撮像素子３２から入力される撮像信号、つまり、撮像素子３２によって光電変換された被写体像から、撮像部３０によって撮像されたレンズ画像を取得する。すなわち、このレンズ画像取得部４２は、撮像部３０によって撮影された画像に対して、必要な画像処理や加工（例えば、座標変換、コントラスト調整、色変換（半透明やセピアカラーとする等）、明るさ調整、フィルタ処理等）を実施し、所望のレンズ画像を取得する。
【００３３】
レンズ画像取得部４２は、実施例１では、レンズ画像の明るさを抑えたり薄い表示（例えば、半透明やセピアカラーとする）としたりすることで、オブジェクト画像やマッピング画像よりも目立たないようにレンズ画像を生成する。取得したレンズ画像の画像データは、レンズ画像データ取得部４３、画像生成部４７へと適宜出力される。なお、実施例１では、レンズ画像として動画像を取得する。また、レンズ画像には、実際はレンズ受け４ｂやレンズ押さえ部材４ｃが写り込むが、理解容易のために、図５〜図７のレンズ画像では、これらを省略して示している。
【００３４】
レンズ画像データ取得部４３は、レンズ画像取得部４２にて取得されたレンズ画像から、公知の技術（例えば、コントラスト調整や形状マッチング等によりエッジ（輪郭)やコーナーや点等の特徴を検出する）により、被検レンズＬの像を抽出する。実施例１では、被検レンズＬの像を抽出するため、レンズ画像から被検レンズＬの外周縁を抽出する。さらに、この外周縁のレンズ画像上での座標データ（位置情報）、つまり撮像素子３２の座標系（以下、「撮像座標系」という。）での座標データを検出している。この外周縁の内側が、被検レンズＬが存在するレンズ領域である。外周縁として、眼鏡フレームを取得してもよいし、縁なしメガネの場合は被検レンズＬ自体の外周縁を取得してもよい。抽出された外周縁の撮像座標系での座標データは、座標データ取得部４５、画像生成部４７へと出力される。
【００３５】
また、レンズ画像データ取得部４３は、被検レンズＬに指標が設けられている場合は、この指標を抽出し、この指標の撮像座標系での座標データを検出する。抽出された指標の画像及び撮像座標系での座標データは、座標データ取得部４５、画像生成部４７へと出力される。
【００３６】
なお、「指標」とは、被検レンズＬに直接描かれたり、刻印されたり、貼付されたりした目印であり、印点インクによる印点マークや、アイポイントを示すマジック印、ペイント印、シール、隠しマーク等が挙げられる。また、被検レンズＬが未加工レンズの場合、図９に示すように、指標として遠用度数測定位置マーク７ａ、加入度数測定位置マーク７ｂ、遠用アイポイントマーク７ｃ、近用アイポイントマーク７ｄ、プリズム測定点７ｅがインクによって印刷・印点されている。マジックやインクで付された指標は、レンズを加工し枠入れ後に消去される。
【００３７】
また、マジックやインクで指標が付されていない場合でも、例えば、マッピング画像から検出された遠用度数測定位置（Ｆ点）や近用度数測定位置（Ｎ点）、隠しマーク等に基づいて、メーカやレンズの種類を特定し、データベース等から被検レンズＬに設けられる指標の種類や指標が設けられた位置を取得することもできる。
【００３８】
光学特性算出部４４は、測定用受光素子２３から入力される画像信号、つまり、測定用受光素子２３に結像されたパターン像に基づいて、被検レンズＬの所定の測定位置おける球面度数、円柱度数、円柱軸角度、プリズム度数、プリズム基底方向等の光学特性値を算出する。算出された光学特性値の数値データは、座標データ取得部４５へと出力される。なお、「被検レンズＬの測定位置」とは、投光光学系１０から出射された測定光が入射するときの被検レンズＬ上での測定光軸Ｌｍの位置である。
【００３９】
ここで、画像信号には、受光した複数の分割測定光束のそれぞれについての受光位置及び受光像の形状を示す情報が含まれている。この受光位置の情報は、測定用受光素子２３の画素上の位置（座標データ）として表現される。各分割測定光束は、測定用受光素子２３上での受光位置が被検レンズＬの光学特性値に応じて変位されるので、測定用受光素子２３上に形成される投影パターンの形状が縮小または拡大されたり歪んだりする。光学特性算出部４４では、この複数の分割測定光束の投影パターンを解析することで、被検レンズＬの光学特性値を求める。
【００４０】
座標データ取得部４５は、被検レンズＬの測定位置の位置情報としての座標データを取得する。撮像部３０が測定光学系Ｋの測定光軸Ｌｍ上に設けられ、撮像素子３２の中心、つまりレンズ画像の中心と測定光軸Ｌｍとが合致することから、測定位置の座標データは、レンズ画像と測定光軸Ｌｍとの位置関係に基づいて取得することができる。以下、図８を用いて測定位置の座標データの取得手順を説明する。
【００４１】
図８は、レンズ画像と測定光軸Ｌｍとの位置関係を説明するための説明図であり、撮像素子３２の座標のイメージと、撮像素子３２で撮影されたレンズ画像のイメージを示している。図８のＧが、撮像素子３２の中心（以下、「撮像中心Ｇ」という）であり、測定光軸Ｌｍの位置を示している。この撮像中心Ｇを、撮像座標系の原点とする。また、図８に示すＬａは、被検レンズＬの外周縁であり、この外周縁Ｌａよりも内側が、実際に被検レンズＬが存在するレンズ領域となっている。
【００４２】
座標データ取得部４５は、レンズ画像データ取得部４３で取得された被検レンズＬの外周縁Ｌａの撮像座標系での座標データに基づいて、被検レンズＬの像の中心（以下、「レンズ中心Ｏ」という）を検出する。そのために、まず図８に示すように、外周縁Ｌａの最下端、最下端、最左端、最右端の延長線の交点ｎ１，ｎ２，ｎ３，ｎ４を抽出する。最上端及び最下端の２等分線と、最左端及び最右端との二等分線との交点がレンズ中心Ｏであり、交点ｎ１〜ｎ４の座標データから、レンズ中心Ｏの撮像座標系での座標データを算出することができる。なお、被検レンズＬの傾き等を考慮して、上記交点ｎ１〜ｎ４の他に、所定の１点又は複数点で取得した座標データをレンズ中心Ｏの座標データの取得に用いてもよい。
【００４３】
算出されたレンズ中心Ｏの座標データと、撮像中心Ｇの座標データ（原点（０，０））に基づいて、被検レンズＬ（レンズ領域）上での測定位置(撮像中心Ｇ)の座標データを算出する。つまり、測定位置（撮像中心Ｇ）の撮像座標系の座標データを、レンズ中心Ｏを原点とした座標系（以下、「レンズ座標系」という）の座標データに変換する。このように、レンズ座標系を用いることで、レンズ画像内（撮像素子３２内）で、被検レンズＬの像がいずれの位置に移動しても、被検レンズＬ上における測定位置を確実に特定することができる。なお、座標データ取得部４５では、同様の手順で、レンズ画像データ取得部４３で抽出された指標のレンズ座標系での座標データを取得する。
【００４４】
また、実施例１では、位置検知センサ４ｇから出力されるレンズテーブル４ｄのＹ軸方向の位置情報と、位置検出センサ４ｇから出力されるスライダ４ｆのＸ軸位置情報とに基づいて、測定光軸Ｌｍに対する被検レンズＬの位置情報を機械的に特定することができる。実施例１では、座標データ取得部４５は、レンズ画像に基づいて測定位置の座標データを取得するときに、この機械的に特定した被検レンズＬの位置情報を補助的に用いている。これにより、測定位置の座標データを、より精度よく、またエラー処理等に活用することができる。算出された測定位置の座標データは、光学特性値と関連付けられて、内部メモリ４０ａに蓄積され、マッピング形成部４６と画像生成部４７へと出力される。
【００４５】
マッピング形成部４６は、被検レンズＬの光学特性値の分布を表すマッピング画像を形成する。このマッピング形成部４６には、座標データ取得部４５から、各測定位置の光学特性値と、測定位置の座標データとが関連付けられて入力される。マッピング形成部４６は、各測定位置での光学特性値のうち、光学特性値が等しい測定位置を、等高線のように等度数線によって結んだり、色分けしたりすることで、被検レンズＬの光学特性値の分布を表すマッピング画像を形成する。なお、光学特性値と座標データに基づいて、光学特性を測定していない位置の光学特性値を推定して、等高線間にさらに等高線を挿入してより細密なマッピング画像を形成したり、等高線がより滑らかで高画質なマッピング画像を形成したりしてもよい。マッピング画像としては、例えば、球面度数の分布を示すもの、円柱度数の分布を示すもの、球面度数及び円柱度数の分布を示すもの、プリズム度数の分布を示すもの等が挙げられる。形成するマッピング画像は、予め決められていてもよいし、測定者が操作部６を操作して形成するマッピング画像を指定してもよい。形成されたマッピング画像の画像データは、画像生成部４７へと出力される。
【００４６】
さらに実施例１では、マッピング形成部４６は、光学特性値及び測定位置の座標データを解析することで、被検レンズＬの光学的な特徴ポイント（特徴点）を検出するとともに、この特徴ポイントのマッピング画像上（つまりレンズ座標系）での座標データを検出する。なお、「被検レンズＬの特徴ポイント（特徴点）」とは、被検レンズＬにおいて光学的に特徴のある部分であり、被検レンズＬの遠用度数測定位置（Ｆ点）や近用度数測定位置（Ｎ点）、累進帯の中心線、累進帯長等が挙げられる。検出された特徴ポイントの座標データは、特徴ポイントの種類と関連付けられて画像生成部４７へと出力される。
【００４７】
なお、マッピング画像から検出されたＦ点、Ｎ点に関連して、アイポイント（例えば、遠用アイポイント、近用アイポイント）を算出することもできる。例えば、予め記憶部４１に、メーカごとの様々な被検レンズＬのＦ点及びＮ点の値と、アイポイントの位置の座標データとを対応づけて記憶しておく。そして、マッピング画像から検出されたＦ点、Ｎ点に基づいて、記憶部４１から対応するアイポイントの座標データを抽出する。この座標データもアイポイントと関連付けられて画像生成部４７へと出力される。
【００４８】
画像生成部４７は、被検レンズＬの光学特性の測定中に表示画面３ａに表示する第１重畳画像Ｉ１（図５等参照）と、被検レンズＬの測定終了後に表示画面３ａに表示する第２重畳画像Ｉ２（図７参照）とを生成する。
【００４９】
画像生成部４７は、光学特性の測定を補助するための記号や測定された光学特性値等のオブジェクト画像と、レンズ画像取得部４２によって取得されたレンズ画像とを重畳して、第１重畳画像Ｉ１を生成する。
【００５０】
この第１重畳画像Ｉ１を生成するときに、画像生成部４７は、オブジェクト画像としての、測定光学系Ｋの測定光軸Ｌｍの位置を示す測定光軸記号Ｏｏと、被検レンズＬのレンズ光軸Ｌｌの位置を示すレンズ光軸記号Ｏｌと、プリズム量を段階的に示すプリズムサークル記号Ｏｐ（以下では、Ｐサークル記号Ｏｐという）とを生成し、レンズ画像に重畳する（図５、図６参照）。測定光軸記号Ｏｏは、レンズメータ１（測定光学系Ｋ）の光軸中心位置、すなわち測定光学系Ｋにおいて被検レンズＬがないものとすると測定光軸Ｌｍが存在する位置（パターンプレート２２ｂにより形成されるパターンの重心位置）を示すもので、実施例１ではＰサークル記号Ｏｐの中心として示される。レンズ光軸記号Ｏｌは、被検レンズＬのレンズ光軸Ｌｌの位置を示すもので、実施例１では十字の記号で表されている。レンズ光軸Ｌｌは、被検レンズＬにおける光学的な中心位置であり、入射した光を屈折させずに通過させる位置（プリズム量が０の位置）である。レンズ光軸記号Ｏｌは、このレンズ光軸Ｌｌの位置を示すことで、被検レンズＬの位置を示すレンズ位置記号として機能する。Ｐサークル記号Ｏｐは、測定光軸Ｌｍを中心として、被検レンズＬの測定光軸Ｌｍに位置する箇所のプリズム量を段階的に示す。Ｐサークル記号Ｏｐは、実施例１では測定光軸Ｏｍの位置を中心として等しいプリズム値を円形に結びつつプリズム値が大きくなるほど外側に位置するように、同心状の複数の円の記号で表される。
【００５１】
また、画像生成部４７は、光学特性算出部４４で算出した被検レンズＬの光学特性値を表す測定値表示Ｏｖを生成してレンズ画像の右側に重畳させる。この測定値表示Ｏｖとして、実施例１では、「Ｓ、Ｃ、Ａ」の記号の右側に「球面度数」、「円柱度数」、「軸角度」の数値データを表示させ、「ΔＰ、ΔＢ」の記号の右側に、「プリズム度数」、「プリズム基底方向」の数値データを表示させる。また、累進焦点レンズの場合は、「ＡＤＤ」の記号の右側に「加入度数」の数値データを表示させる。その他にも、瞳孔間距離（光学中心間距離）等を表示させてもよいし、左右いずれのレンズを測定しているか識別できるように、「Ｒ」（右）、「Ｌ」（左）等の記号を表示させてもよい。
【００５２】
また、画像生成部４７は、被検レンズＬの移動によって測定光軸記号Ｏｏとレンズ光軸記号Ｏｌとが近付いたとき、図６に示すように、測定光軸Ｌｍの位置（測定光軸記号Ｏｏ）を強調するように４分割した太い枠状で囲む合致記号Ｏｍを重畳した第１重畳画像Ｉ１’を生成してもよい。合致記号Ｏｍは、測定光軸記号Ｏｏとレンズ光軸記号Ｏｌとの距離に応じて緑色や桃色等で色付けして重畳してもよい。
【００５３】
また、画像生成部４７は、必要に応じてコメントバー７のオブジェクト画像を生成し、これを重畳して第１重畳画像Ｉ１，Ｉ１’を生成する。例えば、レンズメータ１が被検レンズＬを非球面レンズと認識したときに、図６に示すように「非球面レンズ」の文字列が点滅するオブジェクト画像を生成する。このようなオブジェクト画像をコメントバー７として表示することで、測定者に対してマッピング画像取得のために、被検レンズＬを移動させて複数箇所で光学特性を測定するように促すことができる。
【００５４】
なお、画像生成部４７は、レンズ画像データ取得部４３にて検出されたレンズ画像内の被検レンズＬの外周縁の座標データに基づいて、生成した第１重畳画像Ｉ１，Ｉ１’を、被検レンズＬの外周縁の少なくとも一部が含まれる画像に調整してもよい。すなわち、レンズ画像及びオブジェクト画像の表示範囲の調整を行うことで、被検レンズＬの外周縁の少なくとも一部が、第１重畳画像Ｉ１，Ｉ１’に写るようにする。これにより、測定者が被検レンズＬのレンズ領域を明確に把握することができ、光学特性の測定動作を補助して、被検レンズＬの所望の測定位置での測定が容易となる。
【００５５】
また、画像生成部４７は、マッピング形成部４６によって形成されたマッピング画像と、レンズ画像取得部４２によって取得されたレンズ画像とを重畳して、第２重畳画像Ｉ２を生成する。
【００５６】
この場合も、画像生成部４７は、レンズ画像及びマッピング画像の表示範囲の調整を行うことで、被検レンズＬの外周縁の少なくとも一部が、第２重畳画像Ｉ２に写るようにしてもよい。これにより、被検レンズＬのレンズ領域が明確となり、測定者が光学特性値の分布と被検レンズＬとの位置関係をより明確に把握とすることができる。この場合、レンズ領域をより明確にするため、外周縁等を強調するオブジェクト画像を重畳してもよい。
【００５７】
また、実施例１では、画像生成部４７は、被検レンズＬの特徴ポイントのマッピング画像上での位置を示すオブジェクト画像と、被検レンズＬに設けられた指標のレンズ画像上での位置を示すオブジェクト画像とをレンズ画像及びマッピング画像に重ね合わせて第２重畳画像Ｉ２を生成する。このとき、座標データ取得部４５で取得した各特徴ポイント、各指標のレンズ画像上での座標データに基づいて、各オブジェクト画像をレンズ画像上に重畳する。また、測定値表示Ｏｖのオブジェクト画像を重畳してもよいし、コメントを表示する際には、コメントバー７のオブジェクト画像を重畳してもよい。
【００５８】
また、生成された第２重畳画像Ｉ２は、測定を終了するときに破棄してもよいし、記憶部４１に記憶してもよい。また、この第２重畳画像Ｉ２と対応させて、各測定位置の光学特性値や座標データを記憶部４１に記憶してもよい。このような記憶部４１への記憶によって、必要に応じて第２重畳画像Ｉ２や光学特性値等を表示画面３ａに再表示することができる。
【００５９】
図７に、被検レンズＬが累進焦点レンズである場合の第２重畳画像Ｉ２の一例を示す。図７に示す第２重畳画像Ｉ２では、レンズ画像上に、累進帯部Ａのレンズの加入度数（球面度数）の変化や累進帯部Ａの左右の領域Ｂの歪み状態を等度数線又は色分け（カラーマップ）で表したマッピング画像が重畳されている。また、この図７の第２重畳画像Ｉ２には、オブジェクト画像として測定値表示Ｏｖが重畳されている。
【００６０】
また、図７に示す第２重畳画像Ｉ２では、遠用度数測定位置（Ｆ点）の位置を示すオブジェクト画像Ｏ２として「Ｆ」の記号が重畳され、近用度数測定位置（Ｎ点）の位置を示すオブジェクト画像Ｏ１として「Ｎ」の記号が重畳され、累進帯中心線の位置を示すオブジェクト画像Ｏ３として「点線」が重畳されている。
【００６１】
また、レンズ画像データ取得部４３によって抽出された指標であって実際のメガネ装用者の遠用アイポイントのマジック印を示すブジェクト画像Ｏ４として、「〇」印が重畳されている。また、レンズ画像データ取得部４３によって、図９に示されるような指標が抽出されている場合は、これらの指標を示すオブジェクト画像を生成して、第２重畳画像Ｉ２に重畳してもよい。このような指標は、レンズ画像に写っていても不鮮明であったり、レンズ画像にマッピング画像を重畳することで視認できなくなったりすることがある。そのため、レンズ画像に指標を強調したオブジェクト画像を重畳することで、測定者が指標を明確に把握することができる。なお、実施例１では、このようにレンズ画像から指標を抽出して、オブジェクト画像を生成しているが、これに限定されない。マッピング画像を重畳しても指標を視認することができるように、レンズ画像とマッピング画像を共にハーフ透明とし、これらを重畳して第２重畳画像Ｉ２を生成してもよい。
【００６２】
表示制御部４８は、画像生成部４７にて生成された第１重畳画像Ｉ１，Ｉ１’や第２重畳画像Ｉ２の画像データを表示部３へと出力し、表示画面３ａに表示させる。制御部４０の制御によって、光学特性の測定中は表示画面３ａに第１重畳画像Ｉ１，Ｉ１’を表示させ、測定終了後は表示画面３ａに第２重畳画像Ｉ２を表示させる。
【００６３】
［画像制御処理］
以下、実施例１のレンズメータ１にて行われる画像制御処理の一例を、図１０フローチャートを用いて具体的に説明する。画像制御処理は、レンズメータ１（制御部４０）が被検レンズＬを検出したとき（例えば、測定用受光素子２３上の投影パターンの形状の変化等を検知したとき）に開始される。
【００６４】
画像制御処理が開始されると、ステップＳ１で、制御部４０の制御の下、撮像部３０による被検レンズＬの画像の撮影を開始する。撮影された撮像データは、レンズ画像取得部４２に逐次出力される。また、ステップＳ２では、測定光学系Ｋでの被検レンズＬの光学特性の測定を開始する。被検レンズＬの光学特性の測定は、制御部４０の制御の下、投光光学系１０の光源１１から被検レンズＬに向けて測定光を投光し、被検レンズＬを通過した測定光の像を受光光学系２０の測定用受光素子２３で受光することで行う。
【００６５】
次にステップＳ３では、レンズ画像取得部４２が、撮像部３０から入力される撮像データに対して、必要な画像処理や加工を行ってレンズ画像を取得する。次いで、ステップＳ４で、レンズ画像データ取得部４３が、ステップＳ３で取得したレンズ画像から被検レンズＬの外周縁Ｌａを抽出し、外周縁Ｌａの撮像座標系での座標データを取得する。
【００６６】
次のステップＳ５では、光学特性算出部４４が、被検レンズＬの測定データ、つまり測定用受光素子２３から入力される画像信号に基づいて、被検レンズＬの測定位置における球面度数、円柱度数、円柱軸角度、プリズム度数、プリズム基底方向等の光学特性値を算出する。
【００６７】
次のステップＳ６では、座標データ取得部４５が、ステップＳ４で抽出された撮像座標系での外周縁Ｌａの座標データに基づいて、交点ｎ１，ｎ２，ｎ３，ｎ４を抽出し、レンズ中心Ｏの座標データを算出する。この中心Ｏの座標データと撮像中心Ｇの座標データに基づいて、現在の光学特性の測定位置（撮像中心Ｇ）のレンズ座標系での座標データを算出する。この座標データは、光学測定値と関連付けられて内部メモリ４０ａに蓄積される。
【００６８】
そして、ステップＳ７で、画像生成部４７が、測定光軸記号ＯｏとＰサークル記号Ｏｐと、被検レンズＬの測定データに基づいたレンズ光軸記号Ｏｌと測定値表示Ｏｖと、レンズ画像とを重畳して第１重畳画像Ｉ１を生成する。
【００６９】
ここで、画像生成部４７は、測定光軸記号Ｏｏとレンズ光軸記号Ｏｌとの距離が、所定距離以下となったときに、合致記号Ｏｍを重畳して、第１重畳画像Ｉ１’を生成する。なお、被検レンズＬを非球面レンズと認識したときは、画像生成部４７は「非球面レンズ」の文字列が点滅するコメントバー７のオブジェクト画像を第１重畳画像Ｉ１，Ｉ１’に重畳する。
【００７０】
次いで、ステップＳ８では、表示制御部４８が、ステップＳ７で生成された第１重畳画像Ｉ１または第１重畳画像Ｉ１’を表示画面３ａに表示する。被検レンズＬが移動する様子を示すレンズ画像と、その被検レンズＬの位置に応じて移動するレンズ光軸記号Ｏｌとが、リアルタイムの動画像として表示画面３ａに写し出される。したがって、測定者は、この表示画面３ａで、測定光軸記号Ｏｏ、レンズ光軸記号Ｏｌ、Ｐサークル記号Ｏｐといった測定を補助する記号や文字列と、レンズ画像とを見比べながら、測定作業を容易に行うことができる。
【００７１】
また、第１重畳画像Ｉ１，Ｉ１’に「非球面レンズ」の文字列が点滅するコメントバー７が表示された場合、測定者は被検レンズＬが非球面レンズであることを認識できる。そのため、測定者は、マッピング画像を生成するために、被検レンズＬを適宜移動させて、レンズ面全体の光学特性を測定することができる。
【００７２】
次のステップＳ９では、被検レンズＬの測定が終了したか否かを判断し、ＹＥＳの場合はステップＳ１０へ進む。ＮＯの場合は、ステップＳ３へ戻り、ステップＳ３〜Ｓ８の処理を繰り返して、他の測定位置の被検レンズＬの光学特性の測定を行う。このステップＳ３〜Ｓ８の処理を繰り返すことで、複数の測定位置での光学特性値の取得ができる。
【００７３】
測定が終了したか否かの判断は、例えば、操作部６から測定を終了させる旨の操作の信号を受けたときに終了したと判断し、それ以外の場合には終了していないと判断する。または、球面レンズと判別したときや、マッピング画像の生成に十分な複数の測定箇所での光学特性値の測定が終了したときに制御部４０が測定を終了したと判断してもよい。さらには、測定した各光学特性値を、印字部で印字させたり測定データを外部に送信させたりする操作信号を操作部６から受けたときに測定が終了したと判断してもよい。なお、ステップＳ９で球面レンズと判別できた場合は、以降のステップＳ１０〜Ｓ１３を適宜省略してもよい。
【００７４】
次いで、ステップＳ１０では、光学特性の測定の終了を受けて、マッピング形成部４６が、光学特性値の被検レンズＬ上での分布を表すマッピング画像を形成する。マッピング形成部４６は、内部メモリ４０ａに記憶された複数の測定位置で測定された光学特性値と、各測定位置のレンズ座標系での座標データとに基づいて、光学特性値が等しい測定位置を等度数線によって結ぶことでマッピング画像を生成する。なお、各測定位置の座標データをレンズ座標系に変換しているため、マッピング画像の座標系も、レンズ座標系と合致している。
【００７５】
また、マッピング形成部４６は、必要に応じて光学特性値及び測定位置の座標データを解析し、被検レンズＬの特徴ポイント（遠用度数測定位置、近用度数測定位置、累進帯中心線等）を検出するとともに、この特徴ポイントのマッピング画像上での位置の座標データを検出する。
【００７６】
次のステップＳ１１では、ステップＳ３で取得したレンズ画像を解析し、レンズ画像に写っている被検レンズＬに、指標（アイポイントのマジック印、シール、遠用度数測定位置等のインクによる印刷・印点等）が設けられている場合は、その指標を抽出する。さらに、取得した指標の撮像座標系での座標データを取得する。この撮像座標系での座標データを、座標データ取得部４５にてレンズ座標系での座標データに変換する。
【００７７】
なお、指標の抽出及び座標データの取得はステップＳ４にてレンズ画像から外周縁を抽出するときに行ってもよい。この場合は、ステップＳ４を繰り返すたびに指標の抽出を行う必要はなく、一度目のステップＳ４の実行時に行えばよい。また、第２重畳画像Ｉ２の作成までに指標が抽出できていれば、いずれのタイミングで行ってもよい。また、第２重畳画像Ｉ２に指標を重ねて表示する必要がなければ、ステップＳ１１の処理をスキップすることもできる。
【００７８】
そして、ステップＳ１２では、画像生成部４７が、ステップＳ１０にて生成したマッピング画像と、ステップＳ３にて取得したレンズ画像とを重畳して第２重畳画像Ｉ２を生成する。このとき、マッピング画像の座標系は、レンズ座標系と合致しているため、画像生成部４７は、レンズ画像上での被検レンズＬのレンズ中心Ｏを基準として、レンズ画像にマッピング画像を重ね合わせることで、容易に第２重畳画像Ｉ２を生成することができる。また、この第２重畳画像Ｉ２に対し、ステップＳ１０にて検出した被検レンズＬの特徴ポイントを示すオブジェクト画像と、ステップＳ１１にて抽出した被検レンズＬに設けられた指標を示すオブジェクト画像とを重ね合わせる。また、外周縁を強調するオブジェクト画像を重ね合わせてもよい。
【００７９】
なお、本実施例では、レンズ画像は動画であり、マッピング画像の座標系は、レンズ中心Ｏを原点としたレンズ座標系と合致させているので、レンズ画像に写された被検レンズＬが動くと、マッピング画像と特徴ポイント、指標等のオブジェクト画像も追随して動くような第２重畳画像Ｉ２が生成される。
【００８０】
そして、ステップＳ１３において、表示制御部４８が、ステップＳ１２にて生成した第２重畳画像Ｉ２の画像データを表示部３に対して出力し、表示部３の表示画面３ａに第２重畳画像Ｉ２を表示する。このとき、被検レンズＬの像が実際の被検レンズＬと同じ大きさ（等倍）となるよう、第２重畳画像Ｉ２を表示してもよい。または拡大して表示してもよいし、縮小して表示してもよい。この第２重畳画像Ｉ２を視認することで、測定者は被検レンズＬの光学特性の分布や、この分布と被検レンズＬとの位置関係等を視覚的に把握することができる。実施例１ではレンズ画像が動画像であるため、測定者は、撮像部３０が撮影している被検レンズＬのレンズ画像とマッピング画像とをリアルタイムで確認することができる。また、操作部６からの操作等によって、表示画面３ａに表示された第２重畳画像Ｉ２を、印字部で印字することができる。
【００８１】
そしてステップＳ１４では、必要に応じて、第２重畳画像Ｉ２を記憶部４１（不揮発メモリ）に記憶する。第２重畳画像Ｉ２と併せて、各測定位置の光学特性の測定データや座標データを記憶してもよい。これにより、必要に応じて記憶部４１から第２重畳画像Ｉ２や光学特性値を読み出して表示画面３ａに再表示することもできる。
【００８２】
その後、ステップＳ１５へと進んで、制御部４０の制御の下、撮像部３０での撮影を終了し、画像制御処理を終了する。このステップＳ１５の処理は、例えば、測定者が操作部６から終了操作を行い、その信号を制御部４０が受信したときに行われる。
【００８３】
以上、図１０のフローチャートを用いて画像制御処理の一例を説明したが、この例に限定されない。上記では、必要な光学特性の測定が終了した後にステップＳ１０〜Ｓ１３の工程によってマッピング画像を形成し、第２重畳画像Ｉ２を生成して表示しているが、変形例として、光学特性を測定しながら第２重畳画像Ｉ２を同時に生成できる場合は、上記ステップＳ１０〜Ｓ１３の工程を、ステップＳ３〜Ｓ９のループ内で、ステップＳ７、ステップＳ８と並行して実行してもよい。つまり、第１重畳画像Ｉ１を表示して測定者に光学特性を測定させながら、取得した光学特性値に基づいて、リアルタイムでマッピング画像の形成と第２重畳画像Ｉ２の生成を行い、第１重畳画像Ｉ１を部分的に、第２重畳画像Ｉ２に入れ替えて表示してもよい。これにより、測定者は第１重畳画像Ｉ１だけでなく、マッピング画像が形成できた領域では第２重畳画像Ｉ２を視認しながら測定できるので、光学特性を測定すべき位置をより明確に把握することができ、不必要な箇所での測定を回避して、より円滑かつ効率的に光学特性を測定することができる。
【００８４】
次に、実施例１のレンズメータ１の動作の一例を説明する。以下では、実施例１では、被検レンズＬとして、図５等に示すように、累進焦点レンズを用いた縁無しメガネ（ツーポイント）の一対の被検レンズＬの光学特性を測定する場合について説明する。
【００８５】
実施例１のレンズメータ１では、被検レンズＬを検出すると、図１０に示すフローチャートにおいて、ステップＳ１→Ｓ２→Ｓ３→Ｓ４→Ｓ５→Ｓ６へと進んで、所定の測定位置での光学特性値及び座標データを取得する。次に、ステップＳ７→Ｓ８へと進んで、測定光軸記号Ｏｏ、Ｐサークル記号Ｏｐ、レンズ光軸記号Ｏｌ及び測定値表示Ｏｖからなるオブジェクト画像と、レンズ画像とを重畳し、測定光軸記号Ｏｏとレンズ光軸記号Ｏｌとの距離に応じて、図５、図６に示す第１重畳画像Ｉ１，Ｉ１’を生成して表示画面３ａに表示する。
【００８６】
被検レンズＬが累進焦点レンズであるため、「非球面レンズ」の文字列が点滅するコメントバー７のオブジェクト画像を、例えば図６に示す第１重畳画像Ｉ１’に重畳して表示画面３ａに表示する。このコメントバー７を視認することで、測定者は、マッピング画像の生成のため、被検レンズＬを移動させて、複数箇所での光学特性の測定を開始する。
【００８７】
したがって、次のステップＳ９の「測定が終了したか？」の判定がＮＯとなり、ステップＳ３に戻り、ステップＳ４→Ｓ５→Ｓ６へと進んで、異なる測定位置での光学特性値及び座標データを取得する。次に、ステップＳ７→Ｓ８へと進んで、第１重畳画像Ｉ１，Ｉ１’を生成し、表示画面３ａに表示する。
【００８８】
以上のような測定動作を、被検レンズＬの複数の測定位置で繰り返す。なお、これらの測定位置の特定は、被検レンズＬの移動量に基づいて制御部４０が自動で行ってもよいし、測定者が被検レンズＬを移動して所望の測定位置が機械中心位置に到達したときに、操作部６を操作することによって手動で行ってもよい。
【００８９】
ここでは、縁無しメガネの一対のレンズの光学特性を測定するため、一方の被検レンズＬの測定から第２重畳画像Ｉ２の表示までを行った後に、他方の被検レンズＬの測定から第２重畳画像Ｉ２の表示までを行うようにしている。しかし、この手順に限定されず、一方の被検レンズＬの複数箇所での光学特性の測定に続けて、他方の被検レンズＬの複数箇所での光学特性の測定を行い、その後に第２重畳画像Ｉ２の表示を行うものであってもよい。
【００９０】
必要な測定位置での光学特性値及び座標データの取得ができたら（ステップＳ９の判定がＹＥＳ）、ステップＳ１０へと進んで、取得された光学測定値及び座標データに基づいて、この被検レンズＬの光学測定値の分布を示すマッピング画像を形成する。また、必要に応じて被検レンズＬの光学特性値、座標データ及びマッピング画像に基づいて、被検レンズＬの特徴ポイントを及びその座標データを検出する。ここでは、被検レンズＬが累進レンズであるため、特徴ポイントとして、遠用度数測定位置（Ｆ点）、近用度数測定位置（Ｎ点）、累進帯中心線が検出された。
【００９１】
マッピング画像が形成されたら、ステップＳ１１へと進み、レンズ画像を解析して、被検レンズＬに設けられた指標を抽出するとともに、この指標の座標データを検出する。ここでは、指標として被検レンズＬに設けられた実際のメガネ装用者の遠用アイポイントを示すマジック印が抽出された。
【００９２】
このようにマッピング画像を形成し、被検レンズＬの特徴ポイントの座標データの検出、指標の座標データの抽出をしたら、ステップＳ１２へと進んで、光学測定値の分布を示すマッピング画像をレンズ画像に重畳するとともに、被検レンズＬの特徴ポイント（遠用度数測定位置、近用度数測定位置、累進帯中心線）の位置に、これらを示すオブジェクト画像を重畳し、被検レンズＬに設けられた指標（アイポイントのマジック印）の位置に、これを示すオブジェクト画像を重畳した第２重畳画像Ｉ２を生成する（図７参照）。図７では、縁無しメガネの一方の被検レンズＬの第２重畳画像Ｉ２を示しているが、一対の被検レンズＬの光学特性の測定を続けて行った場合、縁無しメガネ全体が写ったレンズ画像に、一対の被検レンズＬのそれぞれのマッピング画像を重畳して第２重畳画像Ｉ２を生成してもよい。
【００９３】
第２重畳画像Ｉ２を生成したら、ステップＳ１３へと進んで、この第２重畳画像Ｉ２を表示画面３ａに表示させる。その後、ステップＳ１４へと進んで、第２重畳画像Ｉ２を記憶部４１に記憶する。そして、測定者が操作部６を操作する等によって終了の指示信号を受信すると、ステップＳ１５へと進んで、撮像部３０での撮影を終了し、画像制御処理を終了する。
【００９４】
以上説明したように、実施例１のレンズメータ１では、光学特性値と、該光学特性値の測定位置の位置情報（座標データ）に基づいて、被検レンズＬの光学特性値の分布を表すマッピング画像を生成し、該マッピング画像と、レンズ画像とを重畳した第２重畳画像Ｉ２を生成して表示部３に表示している。そのため、測定者は、表示部３を目視することで、被検レンズＬの光学特性の分布と被検レンズＬの外観とを同時に把握することができ、光学特性値の分布と実際の被検レンズＬとの位置関係を容易に把握することができる。
【００９５】
また、実施例１では、レンズ画像から取得した被検レンズＬの像のレンズ中心Ｏと、測定光軸Ｌｍが位置する撮像中心Ｇとの位置関係に基づいて、レンズ領域における測定位置の座標データを取得し、マッピング画像を形成している。したがって、レンズ画像中で被検レンズＬがいずれの位置に写っていても、被検レンズＬの像にマッピング画像を重畳することができる。
【００９６】
また、この実施例１では、被検レンズＬの光学特性値に基づいて被検レンズＬの特徴ポイントを検出し、第２重畳画像Ｉ２に前記被検レンズの特徴ポイントを示すオブジェクト画像を重畳している。
【００９７】
これにより、被検レンズＬの特徴ポイント（遠用度数測定位置、近用度数測定位置、累進帯中心線）が表示部３に強調して表示され、測定者は、被検レンズＬのどの位置に遠用度数測定位置や近用度数測定位置、累進帯中心線が形成されているのかを容易に確認することができる。そのため、被検レンズＬの特徴ポイントと被検レンズＬとの位置関係を容易に把握することができる。
【００９８】
また、被検レンズＬに指標（アイポイントのマジック印、シール、遠用度数測定位置等のインクによる印刷・印点等）が設けられている場合、レンズ画像とマッピング画像とを重畳すると、マッピング画像によって指標が隠れてしまうことがある。そこで、実施例１では、レンズ画像から指標を検出し、第２重畳画像Ｉ２に指標を示すオブジェクト画像を重畳している。
【００９９】
これにより、マッピング画像とレンズ画像を重畳しても、被検レンズＬに設けられた指標の位置を明確に確認することができ、この指標と光学特性の分布と被検レンズＬとの位置関係を明確に把握することができる。
【０１００】
また、第２重畳画像Ｉ２を表示画面３ａに表示するときに、表示部３の表示画面３ａ上に被検レンズＬを載せて、被検レンズの像と重ねられるように、制御部４０（画像生成部４７）は被検レンズの像が等倍（実寸大）となるよう第２重畳画像Ｉ２を生成し、表示画面３ａに表示させてもよい。
【０１０１】
等倍で被検レンズＬの像を表示することで、例えば、次のような使用形態とすることができる。表示部３での第２重畳画像Ｉ２の確認が終わったら、測定者は被検レンズＬを取り外し、被検レンズＬの像に合わせて表示画面３ａ上に被検レンズＬを載せて、マッピング画像と重ねる。これにより、被検レンズＬの光学特性の分布と被検レンズＬとの位置関係をよりリアルに把握することができる。また、表示画面３ａに被検レンズＬを載せた状態で、マッピング画像の等高線や、Ｎ点、Ｆ点、累進帯中心線、アイポイント等の特徴ポイント、指標等を直接に被検レンズＬに書込むことができ、その後の被検レンズＬの加工や眼鏡のフィッティング等の補助に用いることもできる。また、特徴ポイント等の被検レンズＬへの書き込みにより、装用者の眼球移動との関係の確認も容易に行うことができる。
【０１０２】
これに対して、第２重畳画像Ｉ２を拡大して表示してもよく、要部等の光学特性がより見易くなる。また、第２重畳画像Ｉ２を縮小して表示してもよく、より広い領域を表示して、被検レンズＬの全体的な光学特性を把握することができる。
【０１０３】
また、実施例１では、光学特性を測定するときに、撮像部３０で取得したレンズ画像に、測定光軸の位置を示すオブジェクト画像（測定光軸記号Ｏｏ）と、被検レンズＬのレンズ光軸の位置を示すオブジェクト画像（レンズ光軸記号Ｏｌ）とを重ねた第１重畳画像Ｉ１を、表示部３に表示させている。
【０１０４】
これにより、測定者は、光学特性の測定中に、表示部３を視認するだけで、被検レンズＬの姿勢や移動状態を把握することができる。そのため、不慣れな測定者であっても実際の被検レンズＬを見ることなく、被検レンズＬの位置を調整して、光学特性の測定を行うことができる。また、レンズ領域以外の箇所で光学特性を測定してしまうことがなく、レンズ領域内の所望の測定位置での測定が可能となる。そのため、測定作業が補助されて、マッピング画像の作成のための測定データを、より効率よく取得することができる。
【０１０５】
また、実施例１では、第２重畳画像Ｉ２と、光学特性値及び座標データとを記憶部４１に記憶している。そのため、例えば、記憶部４１から読み出した第２重畳画像Ｉ２を表示画面３ａに再表示することで、光学特性値の分布、特徴ポイント等の最確認ができる。さらには枠入れ後に消去された指標等の確認を行うことができる。また、光学特性値の分布や特徴ポイントや指標等をレンズに書込んで、眼鏡のフィッティング等の補助に用いることもできる。
【０１０６】
以上、本発明のレンズメータを実施例１に基づいて説明してきたが、具体的な構成については、この実施例に限定されるものではなく、特許請求の範囲の各請求項に係る発明の要旨を逸脱しない限り、設計の変更や追加等は許容される。
【０１０７】
例えば、実施例１では、光学特性の測定中にも、レンズ画像と測定光軸記号Ｏｏや測定値表示Ｏｖ等のオブジェクト画像とを重畳した第１重畳画像Ｉ１，Ｉ１’を表示画面３ａに表示しているが、これに限定されない。例えば、光学特性の測定中は、レンズ画像を重畳することなく、測定光軸記号Ｏｏや測定値表示Ｏｖ等のオブジェクト画像のみを表示する構成としてもよい。
【０１０８】
また、実施例１では、レンズ画像として動画像を取得し、第１重畳画像Ｉ１，Ｉ１’、第２重畳画像Ｉ２を生成する例を示したが、これに限定されない。例えば、レンズ画像として静止画像を取得してもよい。そして、第１重畳画像Ｉ１，Ｉ１’を生成する際には、被検レンズＬの移動に応じて、移動先での静止画像を取得し、この静止画像と測定光軸記号Ｏｏ等のオブジェクト画像と重畳してもよい。また、第２重畳画像Ｉ２を生成する際にも、被検レンズＬの静止画像とマッピング画像とを重畳してもよい。
【０１０９】
また、実施例１では、撮像部３０を、一対の投光光学系１０の間に配置された単眼式デジタルカメラによって構成する例を示したが、例えば複眼式のデジタルカメラによって撮像部３０を構成してもよいし、複数の単眼式カメラで撮像部３０を構成してもよい。さらに、複眼式カメラ又は複数の単眼式カメラを用いた場合では、撮影された画像を合成してレンズ画像を生成してもよい。眼式カメラ又は複数の単眼式カメラを用いることで、部品等で隠れて撮影しにくい箇所でも撮影することができ、被検レンズＬの特徴ポイントや指標等をより検出し易くすること等ができる。
【０１１０】
実施例１では、撮像部３０を装置本体２の上部２ａに内蔵し、測定光軸Ｌｍを中心としつつ一辺が１００ｍｍとなる正方形状の領域を撮像可能な位置に取り付けられた例を示したが、これに限定されない。撮像部３０は、例えば、レンズ押え４ｃ（図１において３０Ｂで示す位置）や、レンズテーブル４ｄ（図１において３０Ａで示す位置）、装置本体２に形成されたレンズセット空間２ｃを区画する壁面の表面等に設けてもよい。また、撮像部３０は、投光光学系１０と受光光学系２０の連結部に設けてもよいし、受光光学系２０の下部に設け、受光光学系２０の下側から上方を撮影する方式としてもよい。つまり、撮像部３０の取り付け位置は、被検レンズＬを撮像し、レンズ画像を取得可能な位置であれば任意に設定することができる。
【０１１１】
また、レンズ押え４ｃやレンズ保持部材４ｂを、プラスチックよりも剛性の高い板金によって形成すると共に厚みや幅を薄くして、被検レンズＬの撮像の邪魔にならないようにしてもよい。さらに、レンズ押え４ｃ等を透明な樹脂によって形成することで、被検レンズＬの撮像の邪魔にならないようにしてもよい。なお、レンズ押え４ｃ等が写る領域が予め解っているので、レンズ画像取得部４２が画像処理によりこれらを消してレンズ画像を生成してもよいし、他の構成でもよい。
【０１１２】
また、実施例１では、被検レンズＬが累進焦点レンズである場合の例を説明したが、被検レンズＬが累進焦点レンズに限定されることはない。二重焦点レンズ、三重焦点レンズ、遠用レンズ、近用レンズ、中近レンズ等の多焦点レンズに適用することもできる。また、単焦点レンズにも適用することもできる。
【０１１３】
また、素性の明らかでない被検レンズＬであっても、被検レンズＬの光学特性値の分布や特徴ポイントを知ることで、その素性を明らかにすることができる。また、光学特性値の分布や特性基準を、レンズの加工や枠入れ、フィッティング等をする際の参考情報として使用することもでき、これらの作業効率を向上させることができる。また、同じ未加工レンズを使用しても、枠入れする眼鏡フレームの形状や上下左右方向の長さに応じて加工したときに、被検レンズＬ上での光学特性値の分布や遠用度数測定位置等の特徴ポイントの位置が変わる場合がある。実施例１のレンズメータ１を用いることで、加工後や枠入れ後のレンズの光学特性の分布や特徴ポイントの位置を容易に把握することができる。
【０１１４】
また、実施例１では、測定位置の座標データの取得を、レンズ画像に写った被検レンズＬのレンズ中心Ｏと測定光軸Ｌｍ（撮像中心Ｇ）との位置関係、及び位置検知センサ４ｇ，４ｈからのレンズテーブル４ｄとスライダ４ｆの位置情報の双方に基づいて行っているが、実施例１に限定されない。測定位置の座標データの取得を、いずれか一方のみに基づいて行ってもよい。
【０１１５】
レンズ画像に写った被検レンズＬのレンズ中心Ｏとレンズ画像の測定光軸Ｌｍ（撮像中心Ｇ）との位置関係にのみ基づいた場合でも、測定位置の座標データを高精度に取得することができるとともに、レンズテーブル４ｄとスライダ４ｆの位置情報を用いた演算処理の工程を省いて、座標データの取得時の演算速度を上げることができる。この場合、スライダ４ｆを設けていないレンズメータ１での実施に好適である。一方、レンズテーブル４ｄとスライダ４ｆの位置情報にのみ基づいて測定位置の座標データを取得した場合は、座標データの取得をより簡易に行うことができる。
【０１１６】
また、実施例１では、図１に示すように表示部３は、装置本体２の前面上部に設けられ、レンズメータ１の一部であるような構成となっているが、実施例１の例に限定されない。例えば、表示部３が、レンズメータ１に有線又は無線で接続されたパーソナルコンピュータ、タブレット端末、スマートフォン等、レンズメータ１とは別個の情報機器に設けられていてもよい。このような表示部３にも、レンズ画像とマッピング画像を重畳した第２重畳画像Ｉ２を表示することで、光学特性値の分布と被検レンズとの位置関係を容易に把握することができる。また、これらの情報機器は、処理能力が高く容量も大きいため、これらの情報機器に制御部４０や記憶部４１を設けてもよく、画像制御処理をより高速かつより高精度に行うことができ、より高精度な第２重畳画像Ｉ２等を生成して表示することができる。
【符号の説明】
【０１１７】
３  表示部
３０  撮像部
４０  制御部
４１  記憶部
４２  レンズ画像取得部（制御部）
４３  レンズ画像データ取得部（制御部）
４４  光学特性算出部（制御部）
４５  座標データ取得部（制御部）
４６  マッピング形成部（制御部）
４７  画像生成部（制御部）
４８  表示制御部（制御部）
Ｋ  測定光学系
Ｌ  被検レンズ
【図１】
2018163105.tif 000003
【図２】
2018163105.tif 000004
【図３】
2018163105.tif 000005
【図４】
2018163105.tif 000006
【図５】
2018163105.tif 000007
【図６】
2018163105.tif 000008
【図７】
2018163105.tif 000009
【図８】
2018163105.tif 000010
【図９】
2018163105.tif 000011
【図１０】
2018163105.tif 000012